(57)【要約】【課題】製造が容易でしかも十分な強度を有する石材連結用アンカーを提供する。【解決手段】隣り合って配置された２つの大型石材１６、１８を連結するための石材連結用アンカー１０であって、管状部分１０ａに４つ以上の縦割り１１を入れて形成された拡径部１２を両側に有する直線材１３と、必要に応じて、直線材１３の拡径部１２に押し込んで拡径部１２の実質直径を広げるピン１４とを有する。そして、直線材１３は、例えば鉄又はステンレスの中実棒又はパイプによって形成されている。【選択図】図１
0003126389.tif 000002
【実用新案登録請求の範囲】
【請求項１】
隣り合って配置された２つの大型石材を連結するための石材連結用アンカーであって、直線材の両側の管状部分に、周囲に４つ以上の縦割りが形成された拡径部を設けたことを特徴とする石材連結用アンカー。
【請求項２】
請求項１記載の石材連結用アンカーにおいて、前記縦割りは円周方向に均等に形成されていることを特徴とする石材連結用アンカー。
【請求項３】
請求項２記載の石材連結用アンカーにおいて、前記直線材は中実棒からなって両側に前記管状部分が形成されていることを特徴とする石材連結用アンカー。
【請求項４】
請求項２記載の石材連結用アンカーにおいて、前記直線材はパイプからなっていることを特徴とする石材連結用アンカー。
【請求項５】
請求項２記載の石材連結用アンカーにおいて、前記拡径部の内側端には開放端に拡径するテーパーが形成されていることを特徴とする石材連結用アンカー。
【請求項６】
請求項１〜５のいずれか１項に記載の石材連結用アンカーにおいて、前記縦割りされた拡径部に端部から嵌入して該拡径部を拡径するピンを備えていることを特徴とする石材連結用アンカー。
【考案の詳細な説明】
【技術分野】
【０００１】
本考案は、例えば、護岸又は堤防工事等で使用する大型石材（例えば、１〜５ｍ）を連結する場合に使用する石材連結用アンカーに関する。
【背景技術】
【０００２】
例えば、特許文献１に記載されているように、本出願人は先に自然石からなる複数の石垣石を上下左右に並べ、これらの自然石を支持棒によって連結した護岸壁を提案した。そして、自然石を連結する支持棒４９（一例）を図４に示すが、テーパーピン５０を入れ込むことによってその実質径が拡大する拡径部５１を一方に他方には雌ねじ５２が形成された連結部５３を有する金具５４を２組と、両側に雌ねじ５２が螺合可能な雄ねじ５５、５６が形成され、直径は金具５４と略同一のロッド材５７とを用意し、ロッド材５７の両側に金具５４をそれぞれねじ込んだものであった。
【０００３】
【特許文献１】特開２００１−５５７１７号公報
【考案の開示】
【考案が解決しようとする課題】
【０００４】
しかしながら、この従来技術に係る支持棒４９においては、雌ねじ５２を有する金具５４及び雄ねじ５５、５６を有するロッド材５７を用意することは極めて手間であり、更に、金具５４及びロッド材５７を鉄材によって構成した場合には長期間風雨に曝すとねじの部分が錆びて雌ねじ５２と雄ねじ５５、５６が螺合しにくくなるという問題があった。
更には、ロッド材５７の端部を縮径して雄ねじ５５、５６を形成しているので、支持棒４９の強度は雄ねじ５５、５６の部分で決まり、強度不足となる場合があった。
本考案はかかる事情に鑑みてなされたもので、製造が容易でしかも十分な強度を有する石材連結用アンカーを提供することを目的とする。
【課題を解決するための手段】
【０００５】
前記目的に沿う本考案に係る石材連結用アンカーは、隣り合って配置された２つの大型石材を連結するための石材連結用アンカーであって、直線材の両側の管状部分に、周囲に４つ以上の縦割りが形成された拡径部を設けている。
この石材連結用アンカーを使用する場合には、石材連結用アンカーを大型石材の連結穴に入れた後、この石材連結用アンカーを叩き込むことによって、周囲に縦割りが形成された拡径部が座屈を起こして周囲に広がり、連結穴に固着される。なお、別に用意したピンを端部から差し込んで拡径してもよい。
【０００６】
また、本考案に係る石材連結用アンカーにおいて、前記縦割りは円周方向に均等に形成されているのが好ましい。ここで、均等には多少（±２０％以内）の製作誤差があってもよい。縦割りの数は、例えば４〜１２程度、更に好ましくは、４又は８がよい。
【０００７】
本考案に係る石材連結用アンカーにおいて、前記直線材は中実棒からなって両側に前記管状部分が形成されている場合と、前記直線材はパイプからなっている場合がある。
そして、本考案に係る石材連結用アンカーにおいて、前記拡径部の内側端には開放端に拡径するテーパーが形成されているのが好ましい。
【０００８】
更に、本考案に係る石材連結用アンカーは、前述のようにこの直線材からなる石材連結用アンカー単独でも使用可能であるが、前記縦割りされた拡径部に端部から嵌入して該拡径部を拡径するピンを備えており、このピン（テーパーピンがより好ましい）を拡径部の端部から叩き込むことによって、拡径部を拡大させ大型石材に設けた連結穴に石材連結用アンカーを固定するのがよい。
【考案の効果】
【０００９】
本考案に係る石材連結用アンカーは、直線材の両側に拡径部が一体的に形成されているので、従来のようにねじを用いて連結する必要がなく、製作が容易になる。
また、連結部分がないので、施工時の強度が増すと共に、全体的な石材の連結強度が増す。
【考案を実施するための最良の形態】
【００１０】
続いて、添付した図面を参照しつつ、本考案を具体化した実施の形態につき説明し、本考案の理解に供する。
ここで、図１（Ａ）は本考案の一実施の形態に係る石材連結用アンカーの平面図、（Ｂ）は同石材連結用アンカーの正面図、図２は同石材連結用アンカーの使用状態の説明図、図３（Ａ）は本考案の他の実施の形態に係る石材連結用アンカーの平面図、（Ｂ）は同石材連結用アンカーの正面図である。
【００１１】
本考案の一実施の形態に係る石材連結用アンカー１０は、鉄又はステンレス材からなって、管状部分１０ａに複数の縦割り（この実施の形態では４つ）１１を入れて形成された拡径部１２を両側に有する直線材１３を備えている。そして、この石材連結用アンカー１０を使用する場合、この拡径部１２をそのまま押し潰して拡径することもできるが、この拡径部１２に押し込んで拡径部１２の実質直径を広げる２つのテーパーピン１４（ピンの一例、片側しか図示せず）を有する。以下、これらについて詳しく説明する。
【００１２】
直線材１３の長さは、例えば、０．５〜４ｍ、その直径は例えば、１０〜１００ｍｍ程度となって、両側には直径（外径）の２〜５倍程度の深さの穴１５が形成されている。穴１５の内径は直径の１／２〜３／４程度となっている。穴１５の内側端部は面取りされて、開放端に拡径するテーパー１６ａが形成されている。なお、両側の穴１５が形成されている部分以外の直線材１３は中実棒からなっている。
【００１３】
穴１５の部分には穴１５の略底部まで達する縦割り１１が形成されている。縦割り１１の幅は出来るだけ小さい方が好ましいが、通常は０．５〜３ｍｍ程度となっている。この実施の形態では縦割り１１の数は均等角度（即ち、９０度）で４つであるが、５つ以上の縦割りを形成してもよい。また、縦割りは傾斜角度０を超え４５度以内の範囲でスパイラル状に形成してもよい。スパイラル状に形成すると、穴１５の長さに対して切り込みによって分割された片の長さが増すので、分割された片に対する荷重が緩和される。
【００１４】
一方、テーパーピン１４は市販のもので十分であるが、穴１５の平均直径の１．２〜１．５倍程度の最大径を有して、テーパーピン１４の軸心に対して５〜３０度程度の傾斜角（即ち、稜線と軸心とのなす角度）を有する円錐台形状をしている。
【００１５】
この石材連結用アンカー１０を使用する場合には、図２に示すように、隣り合って配置された連結しようとする大型石材１６と大型石材１８及び大型石材１７と大型石材１８に対して連結穴１９、２０を形成する。連結穴１９は大型石材１８を貫通するが、大型石材１６は貫通しない構造となっている。また、連結穴２０は大型石材１８は貫通するが大型石材１７は貫通しない構造となっている。なお、大型石材１６、１７は地盤に対してアンカー２１、２２で固定されている。
【００１６】
まず、所定長さ（即ち、連結穴１９、２０の深さの例えば７０〜９０％）の石材連結用アンカー１０を用意する。連結穴１９、２０の直径は石材連結用アンカー１０より１〜３ｍｍ程度大きくしておく。石材連結用アンカー１０の下端部にテーパーピン１４を固定させた状態で、連結穴１９（又は２０）に入れ込み、上部から石材連結用アンカー１０と同一直径の棒（又は管）Ａを挿入し、ハンマーで棒Ａの端部を叩き、下部のテーパーピン１４を穴１５内に押し込み、拡径部１２を拡径させる。これによって、石材連結用アンカー１０は大型石材１６（又は１７）に形成されている連結穴１９（又は２０）から抜けないようになる。
【００１７】
次に、連結穴１９（又は２０）の上部から別のテーパーピン１４を落とし込み、上部から棒Ａで叩き込み、上側の拡径部１２を拡径させる。これによって、石材連結用アンカー１０の上側は大型石材１８に固定される。以上の操作によって、大型石材１６と大型石材１８及び大型石材１７と大型石材１８が連結される。
【００１８】
次に、図３に示す本考案の他の実施の形態に係る石材連結用アンカー２５について、前記実施の形態に係る石材連結用アンカー１０との相違点について説明する。
この石材連結用アンカー２５は、中実の棒ではなくて管（パイプ）によって直線材３２全体が形成されている。従って、両側部には当然管状部分が形成されている。そして、両側端部に、その直径の２〜５倍の縦割り２６が形成され、その部分に拡径部２７を形成している。そして、拡径部２７の周囲には複数の環状溝２８が形成されている。この環状溝２８は縦割り２６によって形成された拡径片２９の外側に形成され、その数は３〜５個（複数）程度で十分である。環状溝２８の深さは管の厚みの０．０５〜０．３倍程度が好ましい。なお、縦割り２６の底部に一致する部分にも環状溝２８を形成するのが好ましい。このようにして直線材３２が形成され、この直線材３２の端部、即ち、拡径部２７にテーパーピン１４を差し込んだ場合、容易に拡径する。
この石材連結用アンカー２５の使用方法については、石材連結用アンカー１０と同じである。
【００１９】
なお、ピンを使用しない場合には、大型石材の連結穴にこの石材連結用アンカーを落とし込み、上部からこの石材連結用アンカーと同一の直径を有するパイプ又は中実棒で連結穴の底に叩き込み、拡径部を座屈させて広げる。これによって、石材連結用アンカーの端部が連結穴に固定される。
前記実施の形態においては、具体的数字を用いて本考案に係る石材連結用アンカーを説明したが、本考案の要旨を変更しない範囲での数値変更は可能である。
なお、拡径部にピンを入れる場合、必ずしもテーパーピンでなくてもよく、例えば、球体、ナット、金属塊などであっても適用できる。
【図面の簡単な説明】
【００２０】
【図１】（Ａ）は本考案の一実施の形態に係る石材連結用アンカーの平面図、（Ｂ）は同石材連結用アンカーの正面図である。
【図２】同石材連結用アンカーの使用状態の説明図である。
【図３】（Ａ）は本考案の他の実施の形態に係る石材連結用アンカーの平面図、（Ｂ）は同石材連結用アンカーの正面図である。
【図４】従来例に係る石材連結用アンカー（支持棒）の説明図である。
【符号の説明】
【００２１】
１０：石材連結用アンカー、１０ａ：管状部分、１１：縦割り、１２：拡径部、１３：直線材、１４：テーパーピン、１５：穴、１６ａ：テーパー、１６〜１８：大型石材、１９、２０：連結穴、２１、２２：アンカー、２５：石材連結用アンカー、２６：縦割り、２７：拡径部、２８：環状溝、２９：拡径片、３２：直線材
【図１】
0003126389.tif 000003
【図２】
0003126389.tif 000004
【図３】
0003126389.tif 000005
【図４】
0003126389.tif 000006